(57)【要約】【課題】履物を非常時に迅速に着脱できるようにする。【解決手段】足口部7の周縁の紐体１０とヒールプル１５（引き上げ部）の根本は、ほぼ同じ線上、ほぼ同じ延長線上、または同じ環状線上にあり、しかも紐体１０は弾性的に収縮し、ヒールプル１５は弾性が無いので、履物１のかかと部分を足のかかとに引き上げるとき、足口部7は弾性的に広がって、履物１が足に容易にすっぽりと装着されるし、ヒールプル１５は弾性が無いので、ヒールプル１５を引き上げる力が弾性収縮で減少せず、ヒールプル１５を引き上げる力は弱まらず、非常時に迅速に履いて対応しやすい。この紐体１０とヒールプル１５とは連結されず、分離されて別体であるので、ヒールプル１５を引き上げる力が、紐体１０まで分散してしまうことがなくなるし、紐体１０の弾性収縮に吸収されてしまうこともなくなる。【選択図】図１
2014226332.tif 000002
【特許請求の範囲】
【請求項１】
突起物の貫通を防止するとともに、弾性及び可撓性を有し、全体として弾性的に湾曲可能な足の裏に当接する足底部と、
足の甲及び足のかかとを覆う足覆い部と、
この足覆い部の上に形成された足が挿通する足口部と、
この足口部に沿って環状に配置され、締めて当該足口部を狭め、緩めて当該足口部を広げる弾性的に収縮する紐体と、
上記足口部のかかと付近であって、上記紐体のかかと付近の位置に設けられ、当該紐体とは分離された、履物のかかと部分を引き上げる弾性を有さない引き上げ部とを備えたことを特徴とする履物。
【請求項２】
上記紐露出部を収納する、上記足覆い部に設けられた紐収納部をさらに備えたことを特徴とする請求項１記載の履物。
【請求項３】
上記足覆い部のかかと付近には、上記引き上げ部を収納する引き上げ収納部が、上記紐露出部とは分離されて形成されていることを特徴とする請求項２記載の履物。
【請求項４】
上記紐収納部の表面には、光を反射する反射性、乱反射性、蛍光性または蓄光性の反射性素材が設けられていることを特徴とする請求項２記載の履物。
【請求項５】
上記引き上げ収納部の表面には、光を反射する反射性、乱反射性、蛍光性または蓄光性の反射性素材が設けられていることを特徴とする請求項３記載の履物。
【請求項６】
上記足底部の湾曲は、かかと部に対してつま先部が１３５度乃至２２５度、湾曲するまで湾曲可能であり、  この足底部の足と反対側には、摩擦係数の大きい素材が、足底部のほぼ全体にわたって配置されていることを特徴とする請求項４または５記載の履物。
【発明の詳細な説明】
【技術分野】
【０００１】
本発明は、履物に関し、非常時に足を護ることができ、非常時につまずくことの無い安全な履物に関する。
【背景技術】
【０００２】
このような履物は、平時も非常時も兼用して使えれば、用意する履物の数が少なくて済み効率的である。例えば、スリッパは、かかと部分が無いため、平時に履いたり脱いだりするのには、簡単で便利である。しかし非常時には足から脱げてしまって非常に不便となる。
【０００３】
【特許文献１】特許第３６８２９６７号公報
【特許文献２】特開平０７−２６５１０４号公報
【発明の開示】
【発明が解決しようとする課題】
【０００４】
本発明は、上述した課題を解決するためになされたものであり、本発明の目的は、平時には足に対して容易に着脱でき、非常時には足から脱げにくく、しかも足を護って、つまづきなどを防止することにある。
【課題を解決するための手段】
【０００５】
このため、本発明の履物は、  突起物の貫通を防止するとともに、弾性及び可撓性を有し、全体として弾性的に湾曲可能な足の裏に当接する足底部と、  足の甲及び足のかかとを覆う足覆い部と、  この足覆い部の上に形成された足が挿通する足口部と、  この足口部に沿って環状に配置され、締めて当該足口部を狭め、緩めて当該足口部を広げる弾性的に収縮する紐体と、  上記足口部のかかと付近であって、上記紐体のかかと付近の位置に設けられた、当該紐体とは分離された、履物のかかと部分を引き上げる弾性を有さない引き上げ部とを備えた。
【発明の効果】
【０００６】
これにより、足口部の周縁の紐体と引き上げ部は、ほぼ同じ線上、延長線上、または同じ環状線上にあり、紐体は弾性的に収縮し、引き上げ部は弾性が無いので、履物のかかと部分を足のかかとに引き上げるとき、足口部は弾性的に広がって、履物が足に容易にすっぽりと装着されるし、引き上げ部は弾性が無いので、引き上げ部を引き上げる力が弾性収縮で減少せず、引き上げ部を引き上げる力は弱まらず、非常時に対応しやすい。
【０００７】
また、平時には足首を締める紐体を緩めて、足への着脱を容易にし、非常時にはこの紐体を締めて足から容易に脱げないようにでき、しかも、この紐体の露出部及び引き上げ部を収納できれば、この紐体または引き上げ部を誤って踏んでつまづくことも無くなる。
【図面の簡単な説明】
【０００８】
【図１】履物３１のやや前側からの外観を示す。鎖線よりつま先側が部分意匠として意匠登録を受けようとする部分である。
【図２】履物３１のやや後側からの外観を示す。鎖線よりつま先側が部分意匠として意匠登録を受けようとする部分である。
【図３】履物３１の底面側からの外観を示す。鎖線よりつま先側が部分意匠として意匠登録を受けようとする部分である。
【図４】履物１の断面を示す。鎖線よりつま先側が部分意匠として意匠登録を受けようとする部分である。
【図５】第二実施例の履物１の紐収納部１４付近を示す。
【図６】第二実施例の履物１のヒールプル１５付近を示す。
【符号の説明】
【０００９】
１…履物、２…足底部、
３…底板、４…摩擦布、
５…防臭布、６…足覆い部、
７…足口部、８…挿通部、
９…露出穴、１０…紐体、
１１…連結具、１２…締緩具、
１３…紐露出部、１４、１７…紐収納部、
１５…ヒールプル（引き上げ部）、
１６、１８…ヒール収納部（引き上げ収納部）。
【発明を実施するための最良の形態】
【００１０】
（１）履物１の構造
図１、図２及び図３は履物１の外観を示す。図４は履物１の断面を示す。足の裏に当接する、足底部２の中には、底板３が内蔵されている。この底板３は、足の裏の形の板状をしており、厚さは数ミリメートルまたは数乃至十数ミリメートルである。この底板３は繊維製または樹脂製若しくはこれらの複合物で、例えば、アミラド繊維とポリエステル繊維を積層させたものである。
【００１１】
この底板３は、釘、画鋲、ガラス破片などの突起物／危険物は貫通せず、災害時に踏み抜くことが無い。この底板３は、弾性及び可撓性を有し、全体として弾性的に湾曲し、底板３のかかと部に対して、底板３のつま先部が、９０度乃至２７０度、または１３５度乃至２２５度、若しくは１５０度乃至２１０度、湾曲するまで湾曲可能である。
【００１２】
ここで、１８０度の湾曲では、底板３のかかと部に対して、底板３のつま先部が、同じ方向を向く。さらに、１８０度を超える湾曲では、底板３のかかと部に対して、底板３のつま先部が、同じ方向を越えて、底板３が巻回状態になる。
【００１３】
この底板３の下には、摩擦布４が重ねられ、底板３の上には、防臭布５が重ねられ、これら摩擦布４及び防臭布５は、底板３より若干大きく、底板３を挟んで、互いに周縁で縫合されている。摩擦布４は摩擦係数が大きいので、履物１の足底部の足と反対側には、摩擦係数の大きい素材が、足底部のほぼ全体にわたって配置されることとなり、濡れた床でも滑らない。
【００１４】
また、摩擦布４と防臭布５との周縁で縫合されているので、底板３が、摩擦布４及び防臭布５からずれない。上記防臭布５は、殺菌、抗菌、防臭、消臭、防汚の効果があるので、臭いを防ぎ、汚れにくい。
【００１５】
これら摩擦布４及び防臭布５の周縁には、さらに、布製の足覆い部６の下縁も合わせて縫合されている。この足覆い部６は、足の甲、足の側面、足のかかとを覆う周回状の形状をなしており、内側に、上記防臭布５と同じ布が用いられ、外側に、防汚布が用いられ、これらが積層されている。防汚布は、汚れが付着しにくく、汚れが付着しても、洗濯によって容易に洗浄できる。
【００１６】
この足覆い部６の上部は長円状に開口していて、足口部7が形成されている。この足口部7を通じて足が挿通して、履物１を足に対して履いたり脱いだりできる。この足口部7に沿って、上記足覆い部６の内側の防臭布と外側の防汚布が縫合されている。
【００１７】
この足口部7のやや下付近も、足口部7に平行に、内側の防臭布と外側の防汚布とが縫合されている。これにより、足口部7に沿って、トンネル状の環状の挿通部８が形成される。この環状の挿通部８の足の甲の中央に当たる付近には、露出穴９が開けられている。
【００１８】
この露出穴９は環状の金具（はとめ）によってほつれないように保護されている。上記挿通部８内に一本の紐体１０が挿通されており、この紐体１０はゴム等の素材からなり、弾性的に伸縮可能となっている。この紐体１０の両端は、上記露出穴９から履物１の外に導出され、この導出部分は紐露出部１３となっており、連結具１１で互いに分離されないように連結されている。
【００１９】
この紐露出部１３の連結具１１付近の二本の紐体１０は、締緩具１２を挿通しており、この締緩具１２を紐体１０に沿ってスライドさせ、連結具１１から遠ざけ露出穴９に近づけると、紐体１０の紐露出部１３の露出穴９からの引き出し量が増えて、紐露出部１３が増え、足口部7が絞められて狭められ、履物１が足から脱げにくくなり、履物１が足に強く着けられる。
【００２０】
締緩具１２を、連結具１１に近づけ露出穴９から遠ざけると、紐体１０の弾性力によって紐体１０の紐露出部１３が露出穴９から挿通部８に引き戻されて、紐露出部１３が減り、足口部7が緩められて広げられ、履物１が脱げやすくなり、履物１足に緩やかに着けられる。
【００２１】
上記足覆い部６の足の甲の中央付近には、ほぼ半円状の布からなる紐収納部１４の周縁が、足覆い部６の表面に縫合されている。この紐収納部１４の足口部７側であって、半円の直径に当たる部分は縫合されておらず、開口していて、紐収納部１４はポケット状になっている。
【００２２】
この紐収納部１４内には、上記紐露出部１３が、連結具１１及び締緩具１２とともに収納されたり引き出されたりできるようになっている。これにより、履物１の外に露出した紐露出部１３を収納して、早歩きまたは駆け足をしても、紐体１０の紐露出部１３がふら付いたり、不用意に紐露出部１３を踏んで、履物１が脱げたり転倒してしまうことがない。
【００２３】
上記紐収納部１４の上面／表面は、光を反射する反射性、乱反射性、蛍光性または蓄光性の反射性素材からなっている、または設けられている。これにより、夜間でも歩行または走っていることが遠くから視認でき、事故防止につながる。また、上記紐体１０全体または紐露出部１３も、光を反射する反射性、乱反射性、蛍光性または蓄光性の反射性素材からなっている。
【００２４】
紐収納部１４及び紐露出部１３または紐体１０のこのような構成によって、この反射性素材によって紐露出部１３の位置が夜間でもわかり易くなり、夜間でも締緩具１２を調整して、足口部7の緊縮状態を調整できる。この反射性素材は、発光ダイオードなどの発光性であってもよい。この場合、この発光の電源は、靴底に内蔵された圧力で起電力を発生させる圧電素子となる。
【００２５】
上記足口部７のかかと付近であって、上記紐体１０及び挿通部８のかかと付近の位置には、ヒールプル１５（引き上げ部）の下端が縫合されている。このヒールプル１５は、可撓性はあるが、弾性はほとんどない。履物１を履くとき、このヒールプル１５をつまんで引き上げると、かかと部分が足のかかとに引き上げられ、容易に履物１を履くことができる。
【００２６】
このヒールプル１５の下の、足覆い部６の表面には、ほぼ方形状のヒール収納部１６（引き上げ収納部）の周縁が縫合されている。このヒール収納部１６の下縁と左右縁は、足覆い部６に縫合されており、上縁のみ縫合されず、上方に開口していて、ポケット状になっている。
【００２７】
このヒール収納部１６内には、上記ヒールプル１５が収納されたり引き出されたりできるようになっている。これにより、ヒールプル１５を収納して、早歩きまたは駆け足をしても、ヒールプル１５がふらついたり、不用意にヒールプル１５を踏んで、履物１が脱げたり転倒してしまうことがない。
【００２８】
ヒール収納部１６の表面は、光を反射する反射性、乱反射性、蛍光性または蓄光性の反射性素材からなっている、または設けられている。これにより、夜間でも歩行または走っていることが遠くから視認でき、事故防止につながる。また、上記ヒールプル１５も、光を反射する反射性、乱反射性、蛍光性または蓄光性の反射性素材からなっている。
【００２９】
ヒールプル１５及びヒール収納部１６のこのような構成によって、この反射性素材によってヒールプル１５の位置が夜間でもわかり易くなり、夜間でもヒールプル１５を操作して、履物１の履き心地を調整できる。この反射性素材は、発光ダイオードなどの発光性であってもよい。この場合、この発光の電源は、靴底に内蔵された圧力で起電力を発生させる圧電素子となる。
【００３０】
（２）履物１の効果
足口部7の周縁の紐体１０とヒールプル１５（引き上げ部）の根本は、ほぼ同じ線上、ほぼ同じ延長線上、または同じ環状線上にあり、しかも紐体１０は弾性的に収縮し、ヒールプル１５は弾性が無いので、履物１のかかと部分を足のかかとに引き上げるとき、足口部7は弾性的に広がって、履物１が足に容易にすっぽりと装着されるし、ヒールプル１５は弾性が無いので、ヒールプル１５を引き上げる力が弾性収縮で減少せず、ヒールプル１５を引き上げる力は弱まらず、非常時に迅速に履いて対応しやすい。
【００３１】
この紐体１０とヒールプル１５とは連結されず、分離されて別体であるので、ヒールプル１５を引き上げる力が、紐体１０まで分散してしまうことがなくなるし、紐体１０の弾性収縮に吸収されてしまうこともなくなる。
【００３２】
上記足底部２の湾曲は、かかと部に対してつま先部が９０度乃至２７０度、または１３５度乃至２２５度、若しくは１５０度乃至２１０度、湾曲するまで湾曲可能なので、ヒールプル１５を引き上げるとき、足底部２が良く変形して、非常時に迅速に履くことができる。このとき、足口部７に沿った紐体１０も、弾性的によく変形して、非常時に迅速に履くことができる。
【００３３】
また、履物１を脱ぐときも、上述のように、紐体１０のある足口部７及び足底部２が良く変形するので、弾性的によく変形して、非常時に迅速に脱ぐことができる。足底部２の下面は摩擦布４となっているので、非常時でも滑りにくい。
【００３４】
上記足底部２の湾曲は、かかと部に対してつま先部が９０度乃至２７０度、または１３５度乃至２２５度、若しくは１５０度乃至２１０度、湾曲するまで湾曲可能なので、履物１を小さく曲げて収納できる。また、足底部２を外側にして、内に非常用品（救急用品など）を収納して、履物１を巻きつけることもでき、危険物の踏み抜きを防止する底板３によって、この非常用品を護ることもできる。
【００３５】
履物１の左右を重ねるとき、底板３側で重ねれば、摩擦布４どうしが当接しあって、左右の履物１がずれにくくなり、非常時、例えば地震などの大きな揺れの中でも、履物１が破損しにくくなり、紛失も少なくなる。
【００３６】
上記紐露出部１３は、履物１のかかと側ではなく、足の甲側にあり、紐露出部１３が履物１の外の地面等に垂れ下がることがなく、他の人の足で誤って踏まれたり、自分の他方の足で誤って踏まれることがなくなるし、履物１のかかと部分を足のかかとに引き上げるとき、ヒールプル１５と間違えて紐露出部１３を引き上げてしまうこともなくなる。以上の効果は、下記の第二実施例でも同様に達成される。
【００３７】
（３）第二実施例
図５及び図６は、第二実施例の履物１の紐露出部１３付近及びヒールプル１５付近を示す。本実施例では、紐収納部１７及びヒール収納部１８の裏面に雄面ファスナーが接合され、これら紐収納部１７及びヒール収納部１８が当接する足覆い部６側には雌面ファスナーが接合され、紐収納部１７及びヒール収納部１８の一縁のみが足覆い部６に縫合されて開閉可能となっている。
【００３８】
紐露出部１３付近、またはヒールプル１５を収納するときには、紐収納部１７またはヒール収納部１８を開いて、紐露出部１３またはヒールプル１５を挟むようにして、紐収納部１７またはヒール収納部１８の裏面の雄面ファスナーを足覆い部６の雌面ファスナーに係合させる。
【００３９】
これにより、紐露出部１３またはヒールプル１５が振らつかず、紐露出部１３またはヒールプル１５を誤って踏んだり引っ掛かったりすることがなくなる。
【００４０】
また、履物１のかかとを引き上げるときには、ヒール収納部１８を開いてヒールプル１５を取り出し、引っ張り上げる。また、足口部７を広げたり狭めたりするときには、紐収納部１７を開いて紐露出部１３を取り出し、紐体１０を緊縮したり弛緩させたりする。
【００４１】
なお、この場合、紐体１０の先端と紐収納部１４とが合体していてもよく、また、ヒールプル１５の先端とヒール収納部１６とが合体していてもよい。この場合、連結具１１または締緩具１２の裏面に上記雄面ファスナーが設けられてもよいし、ヒールプル１５の裏面に上記雄面ファスナーが設けられてもよい。
【００４２】
上述の各実施例において、当該実施例で記載されていないことは、他の実施例の記載されている内容が参照及び引用される。本願明細書及び特許請求の範囲においては、上記複数の実施例にわたって、各部または一部を入れ替えた実施例も、上記各実施例として記載されているものである。
【００４３】
（４）他の実施の形態
本発明は上記各実施例に限定されず、本発明の趣旨を逸脱しない範囲で種々変更可能である。例えば、履物１の紐体１０は挿通部８の全体ではなく、一部のみ挿通されていてもよい。この場合、紐体１０の両端は、挿通部８内で足覆い部６に連結固定される。挿通部８は、トンネル状のほか、網状、ズボンの腰のバンドを通すループ状、一部途切れているなど何でもよい。
【００４４】
紐体１０は、足覆い部６の外、内、中、どこに設けられてもよい。紐体１０は、帯状、パイプ状、糸状、フィラメント状などでもよいし、複数本でもよい。締緩具１２は、紐体１０の締め具合を調整して固定できれば、どのようなものでもよい。
【００４５】
ヒールプル１５は、手でつかむリボン状のほか、指先を掛けるリング状、方形状、幅広状、かかとに沿って湾曲した曲面形状、紐状、帯状、パイプ状、糸状、フィラメント状などでもよいし、複数でもよい。ヒールプル１５の根本、ヒール収納部１６、１８は、かかとの中央から左右または上下にずれていてもよい。露出穴９、紐露出部１３、紐収納部１４、１７は、足の甲の中央から左右または前後にずれていてもよい。
【００４６】
紐収納部１４、１７は、紐露出部１３が振らつかないように、収納したり固定できたりできれば、どのような構造、形状、機構であってもよい。ヒール収納部１６、１８は、ヒールプル１５が振らつかないように、収納したり固定できたりできれば、どのような構造、形状、機構であってもよい。
【００４７】
底板３は、平坦な板状のほか、凹凸のある板状、段差のある形状、網状、スリット状など、どのような形状でもよく、つま先側、かかと側、足裏の右側または左側、中央の一部が省略されたり、厚さが異なったりしてもよいし、無くてもよい。
【００４８】
足底部２、底板３、摩擦布４、防臭布５、足覆い部６、紐収納部１４、１７、ヒール収納部１６、１８は網状でもよいし、通気性が大きくてもいし、足覆い部６の一部は省略されて、サンダル状、ツッカケ状、かかとのあるスリッパ状などであってもよいし、足覆い部６が延出されて、ブーツ状、アミアゲ靴状、バスケットシューズ状でもよいし、履物１に靴ひもが装着されていてもよい。
【００４９】
紐収納部１４、１７及びヒール収納部１６、１８の大きさ、形状は、任意であり、上記よりもっと大きくても、もっと小さくてもよいし、形状は、円形、楕円形、平行四辺形、菱形、多角形、三角形、台形、星形、曲線形状、十字形のほか、立体形状でもよい。
【００５０】
履物１、足覆い部６、足底部２、底板３、摩擦布４、防臭布５、挿通部８の断面構造は二層であったが、三層以上でもよいし、単層構造でもよいし、網状でもよい。底板３は無くてもよい。紐収納部１４、１７、ヒール収納部１６、１８の断面構造は単層であったが、二層以上でもよい。
【００５１】
上記反射性、乱反射性、蛍光性または蓄光性の反射性素材は、紐収納部１４、１７またはヒール収納部１６、１８の表面のほか、紐収納部１４、１７の周縁、ヒール収納部１６、１８の周縁、足覆い部６の側面またはつま先、足底部２など、履物１の表面のいずれの箇所に設けられてもよい。
【００５２】
足底部２、底板３、摩擦布４、履物１、防臭布５、足覆い部６、足口部７、挿通部８、露出穴９、紐体１０、連結具１１、締緩具１２、紐露出部１３、紐収納部１４、１７、ヒールプル１５、ヒール収納部１６、１８の一部または全部、紐体１０、紐露出部１３、紐収納部１４、１７、ヒールプル１５、ヒール収納部１６、１８の反射性、乱反射性、蛍光性または蓄光性の反射性素材の一部又は全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は繊維製、軟質樹脂製のほか、硬質樹脂製、金属製、木製、紙製、ゴム製、表面に化粧紙が接着されたもの、竹製、樹脂製、ガラス製、綿製、布製、糸製、繊維製、ゴム製、紙製、セラミック製、カーボン製、ウレタン製、これらの合成物製／混合物製／多層積層物製でもよいし、他のものがさらに付加・積層・混合されてもよい。
【００５３】
（５）他の発明の効果
［１］突起物の貫通を防止するとともに、弾性及び可撓性を有し、全体として弾性的に湾曲可能な足の裏に当接する足底部と、  足の甲及び足のかかとを覆う足覆い部と、  この足覆い部の上に形成された足が挿通する足口部と、  この足口部に沿って環状に配置され、締めて当該足口部を狭め、緩めて当該足口部を広げる弾性的に収縮する紐体と、  上記足口部のかかと付近であって、上記紐体のかかと付近の位置に設けられ、当該紐体とは分離された、履物のかかと部分を引き上げる弾性を有さない引き上げ部とを備えたことを特徴とする履物。
【００５４】
［２］上記紐露出部を収納する、上記足覆い部に設けられた紐収納部をさらに備えたことを特徴とする請求項１記載の履物。  これにより、紐露出部がふらつかず、紐露出部を誤って踏んだり引っ掛かけたりすることがなくなる。
【００５５】
［３］上記足覆い部のかかと付近には、上記引き上げ部を収納する引き上げ収納部が、上記紐露出部とは分離されて形成されていることを特徴とする請求項２記載の履物。  これにより、引き上げ部がふらつかず、紐露出部を誤って踏んだり引っ掛かけたりすることがなくなる。また、紐収納部と引き上げ収納部とは、分離されているので、かかと引き上げと足口部の緊縮を誤って同時行ってしまうことがなくなり、足口部を緩めたい、かかと引き上げをスムーズに行うことができる。
【００５６】
［４］上記紐収納部の表面には、光を反射する反射性、乱反射性、蛍光性または蓄光性の反射性素材が設けられていることを特徴とする請求項２記載の履物。  これにより、停電時や夜間でも、紐露出部を容易に視認できて足口部を締めたり緩めたりできる。
【００５７】
［５］上記引き上げ収納部の表面には、光を反射する反射性、乱反射性、蛍光性または蓄光性の反射性素材が設けられていることを特徴とする請求項３記載の履物。  これにより、停電時や夜間でも、引き上げ部を容易に視認できて足口部を締めたり緩めたりできる。
【００５８】
［６］上記足底部の湾曲は、かかと部に対してつま先部が１３５度乃至２２５度、湾曲するまで湾曲可能であり、  この足底部の足と反対側には、摩擦係数の大きい素材が、足底部のほぼ全体にわたって配置されていることを特徴とする請求項４または５記載の履物。  これにより、履物がよく撓んで履物の着脱が容易となり、この着脱のときでも、滑ってしまうことがなくなる。
【産業上の利用可能性】
【００５９】
足口部7の周縁の紐体１０とヒールプル１５（引き上げ部）の根本は、ほぼ同じ線上、ほぼ同じ延長線上、または同じ環状線上にあり、しかも紐体１０は弾性的に収縮し、ヒールプル１５は弾性が無いので、履物１のかかと部分を足のかかとに引き上げるとき、足口部7は弾性的に広がって、履物１が足に容易にすっぽりと装着されるし、ヒールプル１５は弾性が無いので、ヒールプル１５を引き上げる力が弾性収縮で減少せず、ヒールプル１５を引き上げる力は弱まらず、非常時に迅速に履いて対応しやすい。
【００６０】
この紐体１０とヒールプル１５とは連結されず、分離されて別体であるので、ヒールプル１５を引き上げる力が、紐体１０まで分散してしまうことがなくなるし、紐体１０の弾性収縮に吸収されてしまうこともなくなる。これにより、履物を非常時に迅速に着脱できるようになる。
【図１】
2014226332.tif 000003
【図２】
2014226332.tif 000004
【図３】
2014226332.tif 000005
【図４】
2014226332.tif 000006
【図５】
2014226332.tif 000007
【図６】
2014226332.tif 000008
【手続補正書】
【提出日】平成25年5月27日(2013.5.27)
【手続補正１】
【補正対象書類名】図面
【補正対象項目名】全図
【補正方法】変更
【補正の内容】
【図１】
2014226332.tif 000009
【図２】
2014226332.tif 000010
【図３】
2014226332.tif 000011
【図４】
2014226332.tif 000012
【図５】
2014226332.tif 000013
【図６】
2014226332.tif 000014